(57)【要約】【課題】特別な装置や器具を何ら必要とせず、いつでもどこでも簡単に一つだけでも製造を可能とする開封手段を備えたヘッダー付吊下げ袋を提供する。【解決手段】本発明のヘッダー付吊下げ袋は、上端に開口部を備える袋体と、この袋体の開口部を覆って閉袋するヘッダーとから構成されている。ヘッダーは、二つ折りすることにより袋体の開口部を対向する二方向から平面的に挟み込むことを可能とする一枚のシート体からなり、二つ折りしたときの何れか一方のヘッダー片側に、ヘッダーを破断して袋体の開封を可能とする引裂き開封手段を備える。袋体は、開口部上端が、引裂き開封手段によって破断する開口領域内に位置するようにヘッダーに対して配されると共に、ヘッダーの内面と袋体の外面とが互いに貼着されている。これにより、引裂き開封手段によってヘッダーを破断すれば、袋体の開口部上端が露呈して容易に開封することができる。【選択図】図１
2017001683.tif 000002
【特許請求の範囲】
【請求項１】
上端に開口部を備える袋体と、
前記袋体の開口部を覆って閉袋するヘッダーと、
から構成され、
前記ヘッダーは、
二つ折りすることにより前記袋体の開口部を対向する二方向から平面的に挟み込むことを可能とする一枚のシート体からなり、二つ折りしたときの何れか一方のヘッダー片側に、当該ヘッダーを破断して袋体の開封を可能とする引裂き開封手段を備え、
前記袋体は、
一面側又は他面側の何れか一方の開口部上端が、前記引裂き開封手段による前記ヘッダーの一部の破断によって露呈する開口領域内に位置するように前記ヘッダーに対して配されると共に、前記ヘッダーの内面と前記袋体の外面とが互いに貼着されている、
ことを特徴とするヘッダー付吊下げ袋。
【請求項２】
前記袋体は、一面側及び他面側における開口部付近の外面に粘着層を備えていることを特徴とする請求項１に記載のヘッダー付吊下げ袋。
【請求項３】
前記ヘッダーは、二つ折りして前記袋体の開口部を覆ったとき、前記袋体の開口部付近の外面と接合されることとなる内面領域の少なくとも一部に粘着層を備えていることを特徴とする請求項１に記載のヘッダー付吊下げ袋。
【請求項４】
前記引裂き開封手段は、前記袋体の開口部上端に沿う方向にしたがって形成された二本の平行な破断用ミシン目を用いるものであることを特徴とする請求項１乃至３の何れか１項に記載のヘッダー付吊下げ袋。
【請求項５】
前記破断用ミシン目は、始端部及び終端部が二本とも前記ヘッダーの各端縁部に達することなく形成されたものであり、
何れか一方の端部側に二本の破断用ミシン目を連繋する切れ目を形成することによって、一方の端部側に破断用の摘み部が設けられている、
ことを特徴とする請求項４に記載のヘッダー付吊下げ袋。
【請求項６】
前記袋体は、一面側の上下方向長さが他面側の上下方向長さより短く形成することにより開口部上端に段差が形成されたものであり、
前記段差が前記引裂き開封手段側を向いて配されている、
ことを特徴とする請求項１乃至５の何れか１項に記載のヘッダー付吊下げ袋。
【請求項７】
前記ヘッダーは、内面全体にもしくは二つ折りして前記袋体の開口部を覆ったとき、前記袋体の外面と接合されることとなる内面領域を除いた内面の少なくとも一部に自己粘着性の糊剤が塗布された圧着層を備えている、
ことを特徴とする請求項１乃至６の何れか１項に記載のヘッダー付吊下げ袋。
【請求項８】
前記袋体と前記ヘッダーは、互いに溶着できない素材からそれぞれなることを特徴とする請求項１乃至７の何れか１項に記載のヘッダー付吊下げ袋。
【発明の詳細な説明】
【技術分野】
【０００１】
本願発明は、スーパーマーケットやドラッグストア、コンビニエンスストア、ホームセンターといった店舗の商品陳列棚等において、商品を包装しつつ吊下げて展示できるヘッダー付吊下げ包装体に係り、詳しくは、開封手段を有するヘッダー付吊下げ袋に関する。
【背景技術】
【０００２】
包装体の一つとして、商品を収容する袋体の上部に設けられたヘッダー部分に、フックや什器等の陳列棒に通すことを可能とする孔部を備え、商品を吊下げて陳列するヘッダー付吊下げ袋が知られている。
また、このヘッダー付吊下げ袋においては、合樹樹脂フィルムを用いて袋体とヘッダーとを一体的に形成し、収容された商品を簡単に取り出すことができるように、ヘッダーやその近傍に開封のための破断用ミシン目を設けたり、カットテープを配したりしたものが提案されている（たとえば、特許文献１乃至４を参照）。
【０００３】
ところが、従来技術のヘッダー付吊下げ袋は、開封手段の有無に関わらず合成樹脂材料を溶着することによって製造をするものであることから、溶着作業を行うための特別な装置を必要とするものである。具体的には、たとえば、長尺の合成樹脂製シートを二つ折りし、折り目を底部として両側縁を溶着したサイドシール型平袋とし、この袋体の一方の上縁にヘッダーフィルムの一端を溶着すると共に、ヘッダーフィルムを中央で折り曲げて、その他端を袋体の他方の上縁に溶着するものとしている。このとき、溶着方法は特に制限されるものではなく、インパルスシールやヒートシールなどの外部加熱方式や、高周波溶着、超音波溶着などの内部加熱方式によるものとしている。
【０００４】
また、ヘッダー付吊下げ袋は、表裏２枚の合成樹脂製シートの側縁及び底辺の３方を溶着して上方を開口部とする袋体を形成すると共に、上部開口部に芯材シートを有する吊り下げ用ヘッダーを溶着することによっても製造することができる。
さらに、ヘッダー付吊下げ袋は、長尺帯状をした合成樹脂製シートの長手方向側縁を溶着することで長手方向に連続する筒状体を形成すると共に、任意の位置において底部及びヘッダーとなる領域を形成するために短手方向を溶着することで、連続して量産することもできる。
【０００５】
ゆえに、従来技術では、袋体とヘッダーとを一体化するために特別な溶着装置を必要とすると共に、その準備や手間、作業に多くの時間や煩わしさを要するものであって、いつでもどこでも簡単に一つだけでもヘッダー付吊下げ袋の製造を可能とするものではなかった。
【０００６】
しかも、合成樹脂製シートを用いてヘッダー付吊下げ袋を製造する場合、袋体とヘッダーとを溶着手段によって一体化するものであることから、その作業効率や煩わしさから、ヘッダー部分の形状を矩形状とするのが主流であって、ヘッダー部分の形状をハート形やその他任意の形状としたものに適宜変更するのが難しいものであった。
【０００７】
なお、溶着以外の方法によって袋体とヘッダーとを一体化する場合、ステープラを用いて製造する方法がある。このステープラを用いる方法は、袋体とヘッダーとが溶着出来ない別々の材料によって形成されている場合や、ヘッダー部分を任意の形状としたものに適宜変更したい場合に、効率良く対応することができる。
【０００８】
しかしながら、ステープラを用いる方法は、ステープラといった特別な器具を別途必要とすると共に、包装体の開封の際に、ステープラの針を取り外さなければならない煩わしい手間を要するものである。しかも、開封作業の際に、ステープラの針で指等を負傷してしまうおそれがある。
【０００９】
したがって、商品陳列棚等に吊下げて展示することができる包装体において、袋体とヘッダーとを一体化するために特別な装置や器具を何ら必要とせず、いつでもどこでも簡単に一つだけでも製造することができると共に、容易に開封できる手段を備えたヘッダー付吊下げ袋は、出願人が知る限り未だ提案されていない。
【先行技術文献】
【特許文献】
【００１０】
【特許文献１】実用新案登録第３０５７２７５号公報
【特許文献２】実用新案登録第３０６８２１０号公報
【特許文献３】特開２００１−３２２６５０号公報
【特許文献４】特開２００８−２３０６６６号公報
【発明の概要】
【発明が解決しようとする課題】
【００１１】
本発明は、上記事情に鑑みて成されたものであり、特別な装置や器具を何ら必要とせず、極めて簡単な手段で包装体の開口部を封止して袋体とヘッダーとを一体化することができると共に、容易に開封できる手段を備え、しかも、いつでもどこでも簡単に一つだけでもヘッダー付吊下げ袋の製造を可能とする技術を提供することを目的とする。
【課題を解決するための手段】
【００１２】
本発明のヘッダー付吊下げ袋は、上端に開口部を備える袋体と、前記袋体の開口部を覆って閉袋するヘッダーとから構成され、前記ヘッダーは、二つ折りすることにより前記袋体の開口部を対向する二方向から平面的に挟み込むことを可能とする一枚のシート体からなり、二つ折りしたときの何れか一方のヘッダー片側に、当該ヘッダーを破断して袋体の開封を可能とする引裂き開封手段を備え、前記袋体は、一面側又は他面側の何れか一方の開口部上端が、前記引裂き開封手段による前記ヘッダーの一部の破断によって露呈する開口領域内に位置するように前記ヘッダーに対して配されると共に、前記ヘッダーの内面と前記袋体の外面とが互いに貼着されていることを特徴とする。
【００１３】
本発明のヘッダー付吊下げ袋において、前記袋体は、一面側及び他面側における開口部付近の外面に粘着層を備えているものとすることができる。
一方、本発明のヘッダー付吊下げ袋において、前記ヘッダーは、二つ折りして前記袋体の開口部を覆ったとき、前記袋体の開口部付近の外面と接合されることとなる内面領域の少なくとも一部に粘着層を備えているものとすることもできる。
【００１４】
また、本発明のヘッダー付吊下げ袋において、前記引裂き開封手段は、前記袋体の開口部上端に沿う方向にしたがって形成された二本の平行な破断用ミシン目を用いるものとすることができる。
この場合、前記破断用ミシン目は、始端部及び終端部が二本とも前記ヘッダーの各端縁部に達することなく形成されたものであり、何れか一方の端部側に二本の破断用ミシン目を連繋する切れ目を形成することによって、一方の端部側に破断用の摘み部が設けられているものとすることができる。
【００１５】
また、本発明のヘッダー付吊下げ袋において、前記袋体は、一面側の上下方向長さが他面側の上下方向長さより短く形成することにより開口部上端に段差が形成されたものとすると望ましく、この場合、前記段差が前記引裂き開封手段側を向いて配されているものとすることができる。
【００１６】
また、本発明のヘッダー付吊下げ袋において、前記ヘッダーは、内面全体にもしくは二つ折りして前記袋体の開口部を覆ったとき、前記袋体の外面と接合されることとなる内面領域を除いた内面の少なくとも一部に自己粘着性の糊剤が塗布された圧着層を備えているものとすると望ましい。
【００１７】
さらに、本発明のヘッダー付吊下げ袋において、前記袋体と前記ヘッダーは、互いに溶着できない素材からそれぞれなるものとすると望ましい。
【発明の効果】
【００１８】
本発明のヘッダー付吊下げ袋は、上端に開口部を備える袋体と、二つ折りすることにより袋体の開口部を対向する二方向から平面的に挟み込むことを可能とする一枚のシート体からなるヘッダーとから構成され、ヘッダーの内面と袋体の外面とが互いに貼着されているものとなっている。
ゆえに、袋体とヘッダーは、ヘッダーの内面と袋体の外面との貼着といった極めて簡易な手段で装体の開口部を封止して一体化されているので、溶着装置やステープラといった特別な装置や器具を何ら必要とすることなく製造されたものとなっている。しかも、ヘッダーの内面と袋体の外面との貼着作業はいつでもどこでも簡単に行えるものであるので、一つだけでもヘッダー付吊下げ袋を製造することが容易にできるものとなっている。
【００１９】
また、本発明のヘッダー付吊下げ袋は、二つ折りしたときの何れか一方のヘッダー片側に、当該ヘッダーを破断して袋体の開封を可能とする引裂き開封手段を備え、袋体の開口部上端が、引裂き開封手段によるヘッダーの一部の破断によって露呈する開口領域内に位置するようにヘッダーに対して配されたものとなっている。
ゆえに、包装体の開封は、ヘッダーの一部を破断して容易に行うことができると共に、開封したときに、袋体開口部上端が開口領域より露呈し、袋体に収容された商品を容易に取出すことができるものとなっている。しかも、袋体の中の商品を取り出すにはヘッダーの一部を破断する必要があり、一旦ヘッダーの一部を破断してしまうと、装体の開口部を再度封止することができないので、商品の不正な抜き取りを防止することもできる。
【図面の簡単な説明】
【００２０】
【図１】本発明に係るヘッダー付吊下げ袋の構造を説明する、ヘッダー部分が一部破断した状態を示す正面図である。
【図２】本発明に係るヘッダー付吊下げ袋における袋体を示す、（Ａ）正面図、（Ｂ）正面中央縦断面図である。
【図３】本発明に係るヘッダー付吊下げ袋におけるヘッダーを示す、（Ａ）内面図、（Ｂ）二つ折り状態を示す側面図である。
【図４】本発明に係るヘッダー付吊下げ袋の組み立て方法を説明する図であって、袋体の一面側に設けられた粘着層を露呈させる状態を示す図である。
【図５】本発明に係るヘッダー付吊下げ袋の組み立て方法を説明する図であって、袋体の一面側をヘッダーの内面に貼り付ける状態を示す図である。
【図６】本発明に係るヘッダー付吊下げ袋の組み立て方法を説明する図であって、袋体の内部へ商品を入れる状態を示す図である。
【図７】本発明に係るヘッダー付吊下げ袋の組み立て方法を説明する図であって、袋体他面側に設けられた粘着層を露呈させた後、他方のヘッダー片側を袋体の他面側に向かって折り曲げる状態を示す図である。
【図８】本発明に係るヘッダー付吊下げ袋の組み立て方法を説明する図であって、袋体の開口部をヘッダーで覆って封止する状態を示す図である。
【図９】本発明に係るヘッダー付吊下げ袋を開封する方法を説明する図であって、ヘッダーに設けられた引裂き開封手段を破断用ミシン目に沿って引裂いてヘッダーの一部の破断する状態を示す図である。
【図１０】本発明に係るヘッダー付吊下げ袋を開封する方法を説明する図であって、露呈した袋体の開口部を拡げて収容された商品を取出し可能とした状態を示す図である。
【図１１】本発明に係るヘッダー付吊下げ袋におけるヘッダーの他の構造を示す内面図である。
【図１２】本発明に係るヘッダー付吊下げ袋におけるヘッダーの他の構造を示す内面図である。
【図１３】本発明に係るヘッダー付吊下げ袋におけるヘッダーの形状を示す図であって、（Ａ）ハート形をした場合の正面図、（Ｂ）吹き出し形をした場合の正面図である。
【発明を実施するための形態】
【００２１】
以下、本発明に係るヘッダー付吊下げ袋の実施の形態の一例について、図面に基づき説明する。
本発明に係るヘッダー付吊下げ袋は、商品陳列棚等に吊下げて展示することができると共に、内部に収容された商品を取り出すために容易に開封できる手段を備える包装体である。また、本発明に係るヘッダー付吊下げ袋は、袋体とヘッダーとを一体化するために溶着装置やステープラといった特別な装置や器具を何ら必要とせず、いつでもどこでも極めて簡単な手段で包装体の開口部を封止して袋体とヘッダーとを一体化することができ、しかも、一つだけでも製造を可能とするものである。
【００２２】
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２３】
図１に示すように、本実施の形態におけるヘッダー付吊下げ袋１０は、上端に開口部１２を備える袋体１と、この袋体１の開口部１２を覆って閉袋するヘッダー２とを備え、袋体１とヘッダー２とが溶着以外の手段によって互いに一体化したものとなっている。
【００２４】
袋体１は、物品を収容することができる柔軟な包装用容器であって、収容する物品や展示場所等所望に応じて、合成樹脂製や紙製の包装袋とすることができる。また、包装体の形態は、特に限定されるものではなく、たとえば、平袋やガゼット袋としたり、透明又は不透明の包装袋としたりすることができる。
本発明で用いる袋体１としては、たとえば、２軸延伸ポリプロピレン（ＯＰＰ）や、無延伸ポリプロピレン（ＣＰＰ）等の合成樹脂シートを用いて製造された、透明に優れる包装体とすることが望ましい。
【００２５】
本発明において、ヘッダー付吊下げ袋１０は、ヘッダー２から袋体１が脱落しないように固着されたものとなっている。詳しくは、ヘッダー付吊下げ袋１０を構成する袋体１とヘッダー２は、溶着以外の手段によって固着されたものとなっている。
ゆえに、本発明では、ヘッダー付吊下げ袋１０を構成する袋体１とヘッダー２は、互いに溶着できない素材からそれぞれなるものとするほか、互いに溶着可能な素材からなるものであっても溶着手段を用いることなく互いに固着したものとなっている。
【００２６】
袋体１とヘッダー２とを固着する手段は特に限定されず、たとえば、図１及び図２に示すように、袋体１の一面１Ａ側（表側）及び他面１Ｂ側（裏側）における開口部１２付近の外面に、粘着層１６を備えるものとすることができる。
これにより、袋体１の外面１１ｓに設けられた粘着層１６を介して袋体１とヘッダー２とが確実に合着され、ヘッダー２部分を吊下げても、袋体１がヘッダー２から脱落しないものとすることができる。なお、こられの粘着層１６には、表面を覆うように剥離性を有する被覆シート（いわゆる、剥離シート）１７が設けられている。
【００２７】
この際、袋体１の外面１１ｓとヘッダー２の内面２１ｂとは粘着層１６によって互いに合着されたものとなっているが、袋体１の内面同士は封着されていないものとなっている。すなわち、袋体１がヘッダー２から脱落しないように、両者は合着したものとなっているが、ヘッダー２部分を破断するだけで、袋体１とヘッダー２との合着は維持したまま、袋体１の開口部上端１３が露呈して開封されたものとなる。ゆえに、袋体１の内部に収容した物品の取り出しに何ら支障をきたすことがない。
【００２８】
ヘッダー２は、図１及び図３に示すように、二つ折りすることにより袋体１の開口部１２を開口側より対向する二方向から平面的に挟み込むことを可能とする一枚のシート体からなる。また、ヘッダー２は、二つ折りしたときの一方のヘッダー片２Ａもしくは他方のヘッダー片２Ｂの何れかに、ヘッダー２の一部を破断することができる引裂き開封手段２２を備えるものとなっている。なお、図中の符号２９は、本発明に係るヘッダー付吊下げ袋１０を商品陳列棚等のフックへ掛けて展示するために設けられた吊下げ孔を示すものである。
【００２９】
このヘッダー２は、引裂き開封手段２２によって破断することができるものであれば、素材は特に限定されるものではなく、たとえば、紙製や合成樹脂製、又は紙材と合成樹脂材とを組み合わせたものとすることができる。
本発明で用いるヘッダー２としては、たとえば、一般的に紙器用板紙と称される厚手の紙材とすることが望ましい。また、ヘッダー２は、商品名や価格、説明文、社名など印刷を施すことができるものとなっている。
【００３０】
本実施の形態において、ヘッダー２は、図１及び図３に示すように、二つ折りしたときの一方のヘッダー片２Ａ側に、ヘッダー２の一部を破断して袋体１の開口部上端１３を露呈させ、袋体１の開封を可能とする引裂き開封手段２２を備えたものとなっている。
図３において、ヘッダー２は、高さ方向中間位置に設けられた一点鎖線で示す谷折り線２ｃに沿って二つ折りし（図３（Ａ）を参照）、図中の点線矢印で示すように、他方のヘッダー片２Ｂを内面２１ｂ側に向かって折り返して一方のヘッダー片２Ａと閉じ合せるものとして示されている（図３（Ｂ）を参照）。
【００３１】
また、引裂き開封手段２２は、たとえば、図１及び図３に示すように、袋体１の開口部上端１３に沿う方向にしたがって形成された二本の平行な破断用ミシン目（破線状の切れ目）２３，２３を用いて、この二本の破断用ミシン目２３，２３の間の帯状部分２３Ａを切り取るようにしたものとすることができる。本実施の形態において、この引裂き開封手段２２によるヘッダー２の一部の破断によって切り取られる部分が開口領域２８となる。
【００３２】
本実施の形態において、引裂き開封手段２２を二本の平行な破断用ミシン目２３，２３とした場合、図３に示すように、破断用ミシン目２３の始端部２３ｂ及び終端部２３ｅが二本ともヘッダー２の各端縁部２Ｅまで達することなく形成されたものとし、始端部２３ｂ又は終端部２３ｅの何れか一方の端部側に、二本の破断用ミシン目２３，２３を連繋するように上下方向に延びる切れ目２４を形成したものとなっている。
【００３３】
このように二本の破断用ミシン目２３，２３を連繋する切れ目２４を形成することによって、二本の破断用ミシン目２３，２３と切れ目２４によって囲まれた領域の一方の端部側に破断用の摘み部２５が設けられたものとなり、開封作業が容易に行えるものとすることができる。
【００３４】
本実施の形態において、袋体１は、図１に示すように、一面１Ａ側の開口部上端１３Ａが、引裂き開封手段２２によるヘッダー２の一部の破断によって露呈する開口領域２８内に位置するように、ヘッダー２に対して配されたものとなっている。
【００３５】
また、本実施の形態において、袋体１は、図２に示すように、一面１Ａ側の開口部上端１３Ａまでの上下方向長さ（高さ）ＴＡ が、他面１Ｂ側の開口部上端１３Ｂまでの上下方向長さ（高さ）ＴＢ より短く形成することにより、開口部上端１３に沿って段差１４が形成されたものとなっている。
【００３６】
このような段差１４を有する袋体１では、段差１４を有する一面１Ａ側が引裂き開封手段側２２を向いてヘッダー２に対して配されることで、図１に示すように、ヘッダー２の破断による開封時に、段差１４を有する高さの低い一面１Ａ側が開口領域２８内において露呈するものとなる。ゆえに、高さの高い他面１Ｂ側の開口部上端１３Ｂが奥側に配されることで、開袋するときに他面１Ｂ側の開口部上端１３Ｂ付近を向こう側に押しこみ易くなって袋体１の開口部１２が拡げ易いものとなり、袋体１に収容された商品Ｍを容易に取出すことができることとなる。
【００３７】
なお、本発明では、必ずしも上記実施の形態のように、開口部上端１３に沿って段差１４が形成されたものとしなければならないものではない。ゆえに、一面１Ａ側の開口部上端１３Ａまでの上下方向長さ（高さ）ＴＡ と、他面１Ｂ側の開口部上端１３Ｂまでの上下方向長さ（高さ）ＴＢ が等しいものであっても良く、このような実施の形態も本発明が意図する範囲に含まれるものである。しかしながら、袋体１の一面１Ａ側と他面１Ｂ側とで開口部上端１３（１３Ａ，１３Ｂ）までの上下方向長さ（高さ）を異なるものとして開口部上端１３に沿って段差１４が形成されたものとすれば、上述のとおり、袋体１の開口部１２が拡げ易いものとなるので望ましい。
【００３８】
以上のように構成された袋体１とヘッダー２は、次のように組み合わせることで本発明に係るヘッダー付吊下げ袋１０を製造することができる。以下、図４乃至図８に基づいてその組み立て方法の一例について説明する。
【００３９】
まず、図４に示すように、袋体１の一面１Ａ側における開口部付近の外面１１ｓに設けられた粘着層１６の表面を覆う被覆シート１７を剥がして、一面１Ａ側の粘着層１６が露呈された状態とする。
【００４０】
次いで、図５に示すように、袋体１において上下方向の長さが短く形成された一面１Ａ側の開口部上端１３Ａが、引裂き開封手段２２によるヘッダー２の一部の破断によって露呈する開口領域２８内に位置するようにして、袋体１の一面１Ａ側を、図中の二点鎖線矢印にしたがってヘッダー２の内面２１ｂに貼り付ける。すなわち、袋体１の開口部上端１３に形成された段差１４が、引裂き開封手段２２が設けられた一方のヘッダー片２Ａ側を向くと共に、この引裂き開封手段２２を構成する二本の破断用ミシン目２３，２３の間に配されるように調整しながら、袋体１の一面１Ａ側をヘッダー２の一方のヘッダー片２Ａ側に粘着層１６によって貼り付ける。
【００４１】
引き続き、図６に示すように、開口部１２より袋体１の内部へ商品Ｍを入れる。すなわち、袋体１は、他面１Ｂ側の外面１１ｓが手前側を向いた状態となっているので、袋体１の他面１Ｂ側の開口部上端１３Ａを手前に引っ張ることにより開口部１２を拡げて商品Ｍを袋体１の内部へ収容する。このとき、袋体１の一面１Ａ側の外面１１ｓとヘッダー２の内面２１ｂが互いに貼着されたものとなっている。
【００４２】
なお、商品Ｍの袋体１への挿入は、袋体１の一面１Ａ側をヘッダー２の内面２１ｂへ貼り付ける前に行うものとしても良いが、この場合、袋体１をヘッダー２に対して綺麗な貼り付けることが困難なものとなってしまうおそれがある。すなわち、袋体１の内部へ商品Ｍを入れてから袋体１をヘッダー２へ貼り付けるものとすると、商品Ｍの厚みや形状等によっては袋体１の開口部１２付近に皺等が発生し、貼付け作業が煩わしいものとなってしまう。ゆえに、袋体１の一面１Ａ側をヘッダー２の内面２１ｂへ貼り付けた後、袋体１の内部へ商品Ｍを入れるものとする方が望ましい。
【００４３】
そして、図７に示すように、袋体１の他面１Ｂ側における開口部付近の外面１１ｓに設けられた粘着層１６の表面を覆う被覆シート１７を剥がして、他面１Ｂ側の粘着層１６を露呈させた状態とした後、図中一点鎖線で示すようにヘッダー２を谷折り線２ｃに沿って折り曲げ、袋体１の他面１Ｂ側に設けられた粘着層１６に貼り付ける。すなわち、袋体１の開口部１２を、ヘッダー２によって対向する二方向から平面的に挟み込むように、他方のヘッダー片２Ｂ側を、図中の二点鎖線矢印にしたがって一方のヘッダー片２Ａ側に向かって二つ折りして、袋体１の開口部１２をヘッダー２で覆って封止する。
【００４４】
以上により、図８に示すように、袋体１の内部に商品Ｍが収容され、開口部１２がヘッダー２によって封止された本発明のヘッダー付吊下げ袋１０とすることができる。その後、このヘッダー付吊下げ袋１０は、ヘッダー２に設けられた吊下げ孔２９を用いて商品陳列棚等のフックへ掛けるようにして展示することができる。
【００４５】
一方、以上のように構成されたヘッダー付吊下げ袋１０を開封する場合においては、図９に示すように、引裂き開封手段２２における二本の破断用ミシン目２３，２３の間の帯状部分２３Ａの一方の端縁部分を引き起こして摘み部２５とし、この摘み部２５を摘んで、図中の二点鎖線矢印にしたがって他方の端部側へ向かって引っ張ることで、ヘッダー２を破断用ミシン目２３に沿って引裂くものとする。これにより、ヘッダー２部分は二本の破断用ミシン目２３，２３に沿って綺麗に破断され、効率良く開封作業を行うことができ、袋体１の一面１Ａ側の開口部上端１３Ａが開口領域２８より露呈することで開口部１２を開口することができる。
【００４６】
そして、図１０に示すように、露呈した袋体１の開口部上端１３Ａを手前に引っ張るか、図中の白抜き矢印に示すように、ヘッダー２の左右両端縁部２Ｅを片手で同時に掴んで内側へ押し込むようにしてヘッダー２を撓めることで、袋体１の開口部１２を拡げるものとする。これより、拡げられた開口部１２より、袋体１に収容された商Ｍを取出すことができる。
【００４７】
以上のように構成した本発明におけるヘッダー付吊下げ袋１０は、以下の種々の効果を奏するものである。
１）袋体１とヘッダー２とを一体化するために貼着手段を備えているので、袋体１とヘッダー２とを一体化するための特別な装置を何ら必要とせず、ヘッダー２への袋体１の一面１Ａ側の貼付け作業と、ヘッダー２の袋体１の他面１Ｂ側への折曲げ作業による、極めて簡単な手段で袋体１の開口部１２を封止して、袋体１とヘッダー２とを一体化することができる。
【００４８】
２）ヘッダー２の一部を破断することにより開口する開封手段２２を備えているので、極めて簡単に開封することができる。
３）袋体１の一面１Ａ側の長さが他面１Ｂ側の長さより短く、開口部上端１３に段差１４を有するものとすることで、開封作業によって露呈した袋体１の開口部１２を大きく拡げる拡張作業がし易くなり、商品Ｍの取り出を容易なものとすることができる。
【００４９】
４）袋体１とヘッダー２とを貼着手段によって一体化することができるので、予め貼着手段が備わっていれば、いつでもどこでも簡単に、しかも一つだけでもヘッダー付吊下げ袋の製造を可能とすることができる。
５）ヘッダー２部分に印刷を施す場合、枚葉紙（シート状の用紙）を用いるオフセット印刷によって行うことが可能であり、大ロット向けのグラビア印刷に比べて小ロットでの製造が可能なものとすることができる。
【００５０】
上記実施の形態において、袋体１とヘッダー２とを固着する手段は、袋体１の外面１１ｓに粘着層１６を設けるものとしたが、本発明はこれに限定されることは無い。ゆえに、これとは逆にヘッダー２の内面２１ｂに粘着層を設けるものとしても良い。すなわち、図１１に示すように、ヘッダー３２は、二つ折りして袋体１の開口部１２を覆ったとき、袋体１の開口部１２付近の外面１１ｓと接合されることとなる両ヘッダー片２Ａ，２Ｂの内面２１ｂ領域の少なくとも一部に粘着層２６，２６を備えたものとすることができる。
【００５１】
また、ヘッダー３２に設けられる引裂き開封手段２２は、上記実施の形態と同様、袋体１の開口部上端１３に沿う方向にしたがって形成された二本の平行な破断用ミシン目（破線状の切れ目）２３，２３を用いて、この二本の破断用ミシン目２３，２３の間の帯状部分２３Ａを切り取るようにしたものとすることができる。すなわち、引裂き開封手段２２は、破断用ミシン目２３の始端部２３ｂ及び終端部２３ｅが二本ともヘッダー２の各端縁部２Ｅまで達することなく形成されたものとし、始端部２３ｂ又は終端部２３ｅの何れか一方の端部側に、二本の破断用ミシン目２３，２３を連繋するように上下方向に延びる切れ目２４を形成したものとなっている。また、二本の破断用ミシン目２３，２３と切れ目２４によって囲まれた領域の一方の端部側に破断用の摘み部２５が設けられたものとなり、開封作業が容易に行えることができるものとなっている。
【００５２】
これにより、ヘッダー３２の内面に設けられた粘着層２６，２６を介して袋体１とヘッダー３２とが確実に固着され、ヘッダー３２部分を吊下げても、袋体１がヘッダー３２から脱落しないものとすることができる。もちろん、こられの粘着層３２には、表面を覆うように被覆シート（いわゆる、剥離シート）が設けられたものとすることができる。
【００５３】
なお、本発明においては、粘着層を用いない他の手段によって袋体とヘッダーとを固着したものとしても良い。すなわち、本発明において袋体とヘッダーは、たとえば、単純に接着剤を用いて固着したものとしても良い。ただし、袋体の外面やヘッダーの外面に予め粘着層が備えられたものとすると、いつでもどこでも簡単且つ容易に袋体とヘッダーとの固着が行え、一つだけでもヘッダー付吊下げ袋を製造することができるものとなるので望ましい。
【００５４】
また、本発明においては、図１２に示すように、内面２１ｂ全体に自己粘着性の糊剤が塗布された圧着層２７を備えるヘッダー４２としても良い。
ここで自己粘着とは、同一糊剤の表面同士を接触させたときに粘着性を生じてくっ付くことをいい、接合の際、熱をかけたりテープ等を使用したりすることなく、手で押さえ込むだけで簡単に圧着することができることをいい、自己粘着性の糊剤は、表面を触ってもくっ付くようなタック性を有さず、作業性に何ら支障をきたすおそれのないものである。
【００５５】
また、圧着層２７は、ヘッダー４２の内面２１ｂ全体に設けることなく、二つ折りして袋体１の開口部１２を覆ったとき、袋体１の外面１１ｓと接合されることとなる内面２１ｂ領域を除いた内面の少なくとも一部に備えるものとしても良い。すなわち、圧着層２７は袋体１の外面１１ｓと接しても粘着性を生じて互いにくっ付くことはないので、無駄な糊剤の使用を避けるために、ヘッダー４２の内面２１ｂ同士が接合されることとなる必要最小限の範囲で設けられたものとすると良い。
【００５６】
このようにヘッダー４２の内面に自己接着タイプの糊が塗布された圧着層２７が備えられたものとすることで、ヘッダー４２の内面２１ｂ同士が密着することとなり、これに伴って袋体１の開口部１２の密閉が容易にかつ確実に行えるものとすることができる。
【００５７】
また、本発明においては、図１３に示すように、ヘッダーの形状を矩形状以外の任意の形状に変更するものとしても良い。すなわち、合成樹脂製シートを用いてヘッダー付吊下げ袋を製造する場合、袋体とヘッダーとを溶着手段によって一体化するものであることから、ヘッダー部分の形状を矩形状以外の任意の形状に適宜変更するのが難しいものであるが、本発明では、溶着手段を用いずに袋体とヘッダーとを一体化することができるので、ヘッダーの形状を任意の形状に変更することができる。
【００５８】
図１３（Ａ）において、ハート形をしたヘッダー５２を備えたヘッダー付吊下げ袋５０が示され、図１３（Ｂ）において、吹き出し形をしたヘッダー６２を備えたヘッダー付吊下げ袋６０が示されている。
【００５９】
このようなヘッダー５２，６２には、商品名や価格、説明文、社名などの印刷を施すほか、キャッチコピーや説明文、イラストなどを表示することもできる。
これにより、ヘッダー部分の特異な形状と、その部分に表示されたキャッチコピー等によって、ヘッダー部分をアイキャッチ力の強いＰＯＰ（Point of purchase advertising）広告のように利用し、商品が目立つようにすることもできる。
【００６０】
また、図示しないが、ヘッダーにおける何れか一方のヘッダー片を他方のヘッダー片より長いものとしても良い。具体的には、一方のヘッダー片が他方のヘッダー片より下方に延びた、一方のヘッダー片と他方のヘッダー片とで長さの異なるものとしても良い。これにより、ヘッダーの表面に商品の説明等を表示する印刷領域が大きく確保できることとなると共に、長い方のヘッダー片の裏面に着色を施したり、絵を描写したりして装飾的効果を高めるものとすることもできる。
【００６１】
さらに、本発明における開封手段２２においては、図示しないが、ヘッダー２に形成された二本の破断用ミシン目２３，２３の間の帯状部分２３Ａの裏面に補強用テープ（カットテープ）が配されているものとすることもできる。
【００６２】
カットテープは、ヘッダーの一部を破断して開封するための手段であって、ヘッダーを破断するのに十分な強度を有する帯状体である。すなわち、カットテープは、ヘッダーより強度の大きい材料を用いて形成されていることが望ましい。このようなカットテープとしては、たとえば、長さ方向に向けて一軸延伸処理が施された所定の合成樹脂材料によって形成され、これによって長さ方向に向かう引張り応力が幅方向に向かう引張り応力より大きくされてちぎれ難くなっているものとすることができる。
【００６３】
これにより、開封作業中に帯状部分が途中で切れてしまうおそれがなく、破断用ミシン目に沿って包装紙本体が破断され易くなるものとなり、確実にヘッダーの一部を破断して効率良く開封作業を行うことができる。
【符号の説明】
【００６４】
１  袋体、１Ａ  一面、１Ｂ  他面、２，３２，４２，５２，６２  ヘッダー、２Ａ，２Ｂ  ヘッダー片、２Ｅ  端縁部、１０，５０，６０  ヘッダー付吊下げ袋、１１ｓ  （袋体の）外面、１２  開口部、１３（１３Ａ，１３Ｂ）  開口部上端、１４  段差、１６  粘着層、１７  被覆シート、２１ｂ  （ヘッダーの）内面、２２  開封手段、２３  破断用ミシン目、２３Ａ  帯状部分、２３ｂ  始端部、２３ｅ  終端部、２４  切れ目、２５  摘み部、２６  粘着層、２７  圧着層、２８  開口領域、２９  吊下げ孔。
【図１】
2017001683.tif 000003
【図２】
2017001683.tif 000004
【図３】
2017001683.tif 000005
【図４】
2017001683.tif 000006
【図５】
2017001683.tif 000007
【図６】
2017001683.tif 000008
【図７】
2017001683.tif 000009
【図８】
2017001683.tif 000010
【図９】
2017001683.tif 000011
【図１０】
2017001683.tif 000012
【図１１】
2017001683.tif 000013
【図１２】
2017001683.tif 000014
【図１３】
2017001683.tif 000015